【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
回転する整流子に圧接すべき一面の中央部を切削して、該一面に前記整流子に摺接する接触面部と、前記整流子に非接触となる非接触面部とを形成するブラシの製造方法において、
前記整流子の回転軸方向における縁部となるべき前記一面の両縁部を、前記回転軸方向外方に向かうに従って整流子から離れる方向に傾斜した形状にすべく、導電部材を成型する工程と、
前記両縁部の間に摺動方向に長い曲線の帯状をなして前記接触面部を形成すべく、前記中央部を切削する工程と
を備えることを特徴とするブラシの製造方法。
【請求項２】
回転する整流子に圧接すべき一面の中央部を切削して、該一面に前記整流子に摺接する接触面部と、前記整流子に非接触となる非接触面部とを形成するブラシを備えるモータの製造方法において、
前記整流子の回転軸方向における縁部となるべき前記一面の両縁部を、前記回転軸方向外方に向かうに従って整流子から離れる方向に傾斜した形状にすべく、導電部材を成型する工程、及び、
前記両縁部の間に摺動方向に長い曲線の帯状をなして前記接触面部を形成すべく、前記中央部を切削する工程
を有するブラシの成型工程と、
該成型工程により成型されたブラシを組み付ける工程と
を備えることを特徴とするモータの製造方法。
【請求項３】
回転する整流子に圧接される一面の中央部を切削することで、該一面が前記整流子に摺接する接触面部と、前記整流子に非接触となる非接触面部とを備えるブラシにおいて、
前記整流子の回転軸方向における前記一面の両縁部が、前記回転軸方向外方に向かうに従って整流子から離れる方向に傾斜され、
前記接触面部は、傾斜された前記両縁部と切削された前記中央部との間に、摺動方向に長い曲線の帯状をなして形成されている
ことを特徴とするブラシ。
【請求項４】
回転する整流子に圧接される一面の中央部を切削することで、該一面が前記整流子に摺接する接触面部と、前記整流子に非接触となる非接触面部とを有するブラシを備えるモータにおいて、
前記整流子の回転軸方向における前記ブラシの一面の両縁部が、前記回転軸方向外方に向かうに従って整流子から離れる方向に傾斜され、
前記ブラシの接触面部は、傾斜された前記両縁部と切削された前記中央部との間に、摺動方向に長い曲線の帯状をなして形成されている
ことを特徴とするモータ。
【請求項５】
回転する整流子に圧接される一面の中央部を切削することで、該一面が前記整流子に摺接する接触面部と、前記整流子に非接触となる非接触面部とを有するブラシを有するモータと、該モータの回転を操舵部材へ伝達する伝達機構とを備える電動パワーステアリング装置において、
前記整流子の回転軸方向における前記ブラシの一面の両縁部が、前記回転軸方向外方に向かうに従って整流子から離れる方向に傾斜され、
前記ブラシの接触面部は、傾斜された前記両縁部と切削された前記中央部との間に、摺動方向に長い曲線の帯状をなして形成されている
ことを特徴とする電動パワーステアリング装置。
【手続補正２】
【補正対象書類名】明細書
【補正対象項目名】０００７
【補正方法】変更
【補正の内容】
【０００７】
本発明のブラシの製造方法は、回転する整流子に圧接すべき一面の中央部を切削して、該一面に前記整流子に摺接する接触面部と、前記整流子に非接触となる非接触面部とを形成するブラシの製造方法において、前記整流子の回転軸方向における縁部となるべき前記一面の両縁部を、前記回転軸方向外方に向かうに従って整流子から離れる方向に傾斜した形状にすべく、導電部材を成型する工程と、前記両縁部の間に摺動方向に長い曲線の帯状をなして前記接触面部を形成すべく、前記中央部を切削する工程とを備えることを特徴とする。
【手続補正３】
【補正対象書類名】明細書
【補正対象項目名】０００８
【補正方法】変更
【補正の内容】
【０００８】
本発明のモータの製造方法は、回転する整流子に圧接すべき一面の中央部を切削して、該一面に前記整流子に摺接する接触面部と、前記整流子に非接触となる非接触面部とを形成するブラシを備えるモータの製造方法において、前記整流子の回転軸方向における縁部となるべき前記一面の両縁部を、前記回転軸方向外方に向かうに従って整流子から離れる方向に傾斜した形状にすべく、導電部材を成型する工程、及び、前記両縁部の間に摺動方向に長い曲線の帯状をなして前記接触面部を形成すべく、前記中央部を切削する工程を有するブラシの成型工程と、該成型工程により成型されたブラシを組み付ける工程とを備えることを特徴とする。
【手続補正４】
【補正対象書類名】明細書
【補正対象項目名】０００９
【補正方法】変更
【補正の内容】
【０００９】
また、本発明のブラシは、回転する整流子に圧接される一面の中央部を切削することで、該一面が前記整流子に摺接する接触面部と、前記整流子に非接触となる非接触面部とを備えるブラシにおいて、前記整流子の回転軸方向における前記一面の両縁部が、前記回転軸方向外方に向かうに従って整流子から離れる方向に傾斜され、前記接触面部は、傾斜された前記両縁部と切削された前記中央部との間に、摺動方向に長い曲線の帯状をなして形成されていることを特徴とする。
【手続補正５】
【補正対象書類名】明細書
【補正対象項目名】００１０
【補正方法】変更
【補正の内容】
【００１０】
また、本発明のモータは、回転する整流子に圧接される一面の中央部を切削することで、該一面が前記整流子に摺接する接触面部と、前記整流子に非接触となる非接触面部とを有するブラシを備えるモータにおいて、前記整流子の回転軸方向における前記ブラシの一面の両縁部が、前記回転軸方向外方に向かうに従って整流子から離れる方向に傾斜され、前記ブラシの接触面部は、傾斜された前記両縁部と切削された前記中央部との間に、摺動方向に長い曲線の帯状をなして形成されていることを特徴とする。
【手続補正６】
【補正対象書類名】明細書
【補正対象項目名】００１１
【補正方法】変更
【補正の内容】
【００１１】
また、本発明の電動パワーステアリング装置は、回転する整流子に圧接される一面の中央部を切削することで、該一面が前記整流子に摺接する接触面部と、前記整流子に非接触となる非接触面部とを有するブラシを有するモータと、該モータの回転を操舵部材へ伝達する伝達機構とを備える電動パワーステアリング装置において、前記整流子の回転軸方向における前記ブラシの一面の両縁部が、前記回転軸方向外方に向かうに従って整流子から離れる方向に傾斜され、前記ブラシの接触面部は、傾斜された前記両縁部と切削された前記中央部との間に、摺動方向に長い曲線の帯状をなして形成されていることを特徴とする。
【手続補正７】
【補正対象書類名】明細書
【補正対象項目名】００１２
【補正方法】変更
【補正の内容】
【００１２】
本発明によれば、整流子の回転軸方向外方に向かうに従って整流子から離れる方向に傾斜した両縁部が整流子に非接触となる。従って、整流子に圧接される一面の中央部を切削し、切削した中央部を非接触面部とし、中央部以外を接触面部とした従来と対比した場合、両縁部を非接触面部とした分、接触面部の面積を小さくできる。これにより、ブラシ、及びブラシを有するモータは、面積が小さくなった分、摺動方向に長い曲線の帯状をなす接触面部における整流子との擦れ音を低減させることができる。また、擦れ音を小さくすることにより、電動パワーステアリング装置では、運転者に擦れ音による不快感を与えないようにできる。